(57)【要約】【課題】      切り花の鮮度維持と形状保持を可能にするとともに、転倒に際して水の漏出を少なくした花瓶としても利用できる容器を得ることを課題とする。【解決手段】  底部と側壁とを有する容器本体２と、容器本体２に取り付けられる蓋４とを備え、蓋４の天板には開口部６が設けられ、この開口部６に両端が開口した筒体７が接続され、筒体７の一端は容器本体２の底部に向けられて切り花容器１を構成する。【選択図】        図１
2005029258.tif 000002
【特許請求の範囲】
【請求項１】
底部と側壁とを有する容器本体と、前記容器本体に取り付けられる蓋とを備え、
前記蓋の天板には開口部が設けられ、この開口部に両端が開口した筒体が接続され、前記筒体の一端は前記容器本体の底部に向けられた、切り花容器
【請求項２】
蓋と筒体とは一体成形とした、請求項１記載の切り花容器  
【請求項３】
蓋と筒体とは別体とし、筒体は蓋の開口部に係止した、請求項１記載の切り花容器
【請求項４】
容器本体は開口部が膨大した、請求項１記載の切り花容器
【発明の詳細な説明】
【技術分野】
【０００１】
この発明は、切り花の容器に係り、特に切り花の搬送に際しての鮮度維持と形状保持に適した切り花容器に関するものである。
【背景技術】
【０００２】
切り花の搬送に際しては、切り花を段ボールや発泡スチロールの箱等に詰めているが、水の供給がなく長時間に渡る鮮度維持が困難であり、また搬送の揺れ等で形状の損傷を招くおそれがあった。また搬送後に不要となったこれらの箱については、ゴミの増加を招くばかりでなく、無駄なコストの発生となっていた。
また、鮮度保持のために水を入れた容器に切り花を入れて搬送する場合は、搬送時の揺れなどで容器が転倒し、水がこぼれ出すという難点もあった。
【０００３】
これらの問題点を解消すべく撥水性の厚紙で形成された容器と容器蓋からなる花卉輸送箱は、必要最小限の水を容器に入れ、切り花の鮮度保持を図るとともに切り花を支持するための切り込みを蓋中央部に設けている。
【特許文献１】特開平６−５６１８６
【０００４】
しかし、搬送中の切り花の安定保持はできるものの、容器への出し入れに際してはこの切り込みにより花や茎を損傷するおそれがある。また厚紙自体は低コストであるものの、搬送後に容器を花瓶等として利用するには耐久性や体裁に難点があり、結局発生するゴミの解消という点についても難点がある。  
【発明の開示】
【発明が解決しようとする課題】
【０００５】
この発明は、切り花の鮮度維持と形状保持を可能にするとともに、転倒に際して水の漏出を少なくした花瓶としても利用できる容器を提供すること、そして搬送用の容器をそのまま販売用の容器として使用でき、購入者はそのまま花瓶として利用することも可能とすることを課題とするものである。
【課題を解決するための手段】
【０００６】
この発明の切り花容器は、底部と側壁とを有する容器本体と、前記容器本体に取り付けられる蓋とを備え、前記蓋の天板には開口部が設けられ、この開口部に両端が開口した筒体が接続され、前記筒体の一端は前記容器本体の底部に向けて切り花容器を構成する（請求項１）。
容器本体と蓋とは着脱可能であることが好ましい。容器本体から蓋を取り外せば容器内部の清掃がしやすいからである。例えば、容器本体の端部と蓋の端部とに相互で係合し合う突起部を設けて着脱可能したり、容器本体の端部と蓋の端部とにそれぞれ螺合し合うねじ切り部を設けて着脱可能とする構造が考えられる。なお、容器本体に蓋を固定したり、容器本体と蓋とを一体に成形してもよい。
【０００７】
前記蓋と筒体とは一体成形とする構成（請求項２）、蓋と筒体とは別体とし、筒体を蓋の開口部に係止させる構成（請求項３）の何れでもよい。
また、容器本体の開口部は膨大させると、転倒時にこの膨大部に水がたまり、流出が防げるので好ましい（請求項４）。
【発明の効果】
【０００８】
この発明の切り花容器によれば、容器内に水を注入して搬送できるので切り花の鮮度維持が図られ、筒体により切り花の茎の形状保持も可能となる。
さらに容器本体に蓋が設けてあるので、切り花容器が転倒しても注入した水が外部へ漏出しにくい。
またそのまま販売できるので小売店では小分け作業が不要となる。そしてこの容器はそのまま花瓶として使用できるので、購入者は持ち帰ってそのまま、別途花瓶を用意することなく、切り花を飾ることができる。
【発明を実施するための最良の形態】
【０００９】
以下に、最良の形態としての実施例を示す。
【実施例１】
【００１０】
図１はこの発明に係る切り花容器の実施例１を示す断面図である。
【００１１】
切り花容器１の容器本体２は、底部と側壁とを有する円筒型の容器であり、側壁の上部外周面はねじ切り３がされている。蓋４は天板と側壁とを有する円筒型であり、側壁の内周面はねじきり５がされており、このねじきり５と容器本体２のねじ切り３とにより蓋４が容器本体２に螺着されている。すなわち容器本体２と蓋４とは着脱可能となっている。
蓋４の天板には円形の開口部６が設けられている。そして両端が開口した筒体７の先端部が、開口部６の容器本体２側に、蓋４と筒体７との一体成形として接続している。そのため筒体７の他端は容器本体２の底部に向けられている。
【００１２】
次に切り花容器１の使用方法を説明する。蓋４の天板の開口部６から筒体７内に水８を注ぎ、又は蓋をはずして水８を容器本体２の中に注入する。水面９は容器本体２の中間付近の深さとし、筒体７の内部にも水を入り込ませる。注入する水の量は搬送、載置の用途に応じ、また気温、切り花の種類等で決める。次いで、切り花の茎１０を蓋４の天板の開口部６から挿入する。茎１０は、筒体７内を通り、その先端が容器本体２の底部に至り、垂直に保持される。このとき切り花の茎１０は筒体７の内周面に支えられることとなる。
【００１３】
このように水８を注入した切り花容器１に、切り花の茎１０を挿入して搬送したときは、切り花に水８を供給できるので鮮度を維持できるとともに、搬送の際の揺れ等があっても茎１０は筒体７の内周面に支えられるので損傷しにくくなる。また切り花容器１が転倒したときも容器本体２の内部に注入された水８は、蓋４があるため外部に漏出しにくい（図２参照）。特に、区画を設けた専用のトレーを用意し、各区画に切り花容器を収納するようにすれば、搬送中に倒れるおそれは解消される。
また、切り花容器１は搬送後も花瓶としてそのまま利用することができる。花瓶として利用するために容器本体２の外表面は、彩色、印刷又は装飾を施したフィルムで被覆しておくことが好ましい。
【実施例２】
【００１４】
図３は、この発明に係る切り花容器の実施例２を示す断面図である。この実施例１と異なる部分は、蓋４と筒体７とが着脱可能に係止していることである。よって、実施例１と異なる部分を中心に説明する。なお実施例１と同一名称のものは同一の符号を記してある。
【００１５】
蓋４の天板中央部に設けられた開口部６には外部に向けて、両端開口の円筒型の突起部１１が一体成形で設けられ、突起部１１の側壁外周にはねじ切り１２がされている。
筒体７は両端が開口した円筒であり、上端部に外向きの鍔１３が設けてある。この筒体７が、前記蓋４の開口部６から容器本体２の内部に挿入され、前記鍔１３が突起部１１に当接し、筒体７の下端は容器本体２の底部に至っている。
【００１６】
前記突起部１１には前記筒体の鍔１３を挟み込み固定する止め具１４が取り付けてある。前記止め具１４は、上部に内鍔１５を有する円筒型で、側壁の内周面にはねじ切り１６がなされており、ねじ切り１２とねじ切り１６とにより止め具１４が突起部１１に螺着されている。
【００１７】
このように蓋４と筒体７とが着脱可能に取り付けることにより、蓋４と筒体７とが一体成形が困難な場合でも止め具１４を介して筒体７を取り付けることができる。
前記突起部１１と止め具１４とは、突起を設けて係合するものでもよく、またパッキンを介して着脱可能に密接するものでもよい。
【実施例３】
【００１８】
図４は、この発明に係る切り花容器の実施例３を示す断面図である。この実施例１と異なる部分は、容器本体２と蓋４とが突起を設けて係合していること、そして容器本体２の開口部を膨大させて膨大部１７を形成した点である。
【００１９】
容器本体２の上部は膨大部１７としてあり、側壁の上端外周に突起部１８が設けてある。他方、蓋４の下端部内周に突起部１９が設けてあり、前記突起部１８と突起部１９とは水密に係止するようにしてある。容器本体２と蓋４とは、材質の弾性を利用し突起部１８が突起部１９を乗り越えて係止し、逆の動作で分離される。このように容器本体２と蓋４とは簡単な構造と動作で着脱可能とすることができる。
【００２０】
この実施例においては、容器本体に膨大部１７を設けたので、転倒時に水が膨大部にたまることとなり、水の流出が回避できる（図５参照）。
【実施例４】
【００２１】
図６は、この発明に係る切り花容器の実施例４を示す断面図である。この実施例３と異なる部分は、蓋４と筒体７とを着脱可能に係止していることである。よって実施例３と異なる部分を中心に説明する。なお実施例１から３と同一名称のものは同一の符号を記してある。
【００２２】
蓋４の天板に設けられた開口部６には容器本体２の底部側に折り込んだ折り込み部２０が開口軸に向けて斜めに周設してある。筒体７は下方を小径としたテーパー状の円筒であり、小径の開口端を容器本体の底部に向け、大径の開口端を蓋４から上部に突出して開口部６に挿入されている。筒体７の側壁外周面は突起部１９に当接し係止している。このように蓋２と筒体７とを別々に製造できるので成形が容易となる。また筒体７をテーパー状としたので、筒体７を蓋２に着脱するのが容易であり、かつ水密性が高くなる。更に上部が大径で下部が小径であるから、切り花を筒体に差し込みやすく、下部では茎がしっかりと保持されるので切り花の形状保持に優れている。
【００２３】
この発明において、切り花容器１の容器本体２、蓋４、筒体７及び止め具１４の材質は特に限定するものでない。成形上合成樹脂が好ましいが、例えばアルミニウム、ステンレス、スチール等の金属でもよい。また搬送に適した強度と花瓶としての体裁を備えていれば、撥水加工した厚紙であってもよい。
また上記実施例１から４では、容器本体２と蓋４とをパッキンを介して水密を保持して嵌装する構造でもよい。要は水がこぼれにくく、不慮の事故で転倒しても蓋４が容器本体２からはずれない構造であればよい。
【図面の簡単な説明】
【００２４】
【図１】この発明の実施例１の断面図である。
【図２】同じく転倒時の断面図である。
【図３】この発明の実施例２の断面図である。
【図４】この発明の実施例３の断面図である。
【図５】同じく転倒時の断面図である。
【図６】この発明の実施例４の断面図である。    １  切り花容器    ２  容器本体    ４  蓋    ７  筒体  １１  突起部  １４  止め具
【図１】
2005029258.tif 000003
【図２】
2005029258.tif 000004
【図３】
2005029258.tif 000005
【図４】
2005029258.tif 000006
【図５】
2005029258.tif 000007
【図６】
2005029258.tif 000008